(57)【要約】      （修正有）【課題】蓋部の鞄本体部への固定が確実となっていて、蓋部の紛失や容易な盗難が防止された鞄を提供する。【解決手段】蓋部２が鞄本体部１から着脱可能な鞄において、前記蓋部と前記鞄本体部とのそれぞれにチェーン部が設けられ、これらチェーンとスライダ４とによって構成されるオープンスライドファスナによって着脱可能となっている鞄。【選択図】図２
0003153709.tif 000002
【実用新案登録請求の範囲】
【請求項１】
蓋部が鞄本体部から着脱可能な鞄において、前記蓋部と前記鞄本体部とのそれぞれにチェーン部が設けられ、これらチェーンと、引手を有するスライダとによって構成されるオープンスライドファスナによって着脱可能となっていることを特徴とする鞄。
【請求項２】
前記スライダの移動をロックするロック機構を有するとともに、前記引手による操作時に前記ロック機構によるロックを解除するロック解除機構を有し、かつ、前記引手がスライダから着脱可能となっていることを特徴とする請求項１に記載の鞄。
【考案の詳細な説明】
【技術分野】
【０００１】
本考案は、メッセンジャーバッグなどの蓋付き鞄、特に蓋部が交換可能な蓋付き鞄に関する。
【背景技術】
【０００２】
肩紐部をたすき掛けして鞄部を背中に背負うメッセンジャーバッグは、自転車乗車時でも取り扱いが容易で、デザイン的にもユニークなために、最近、人気が高まっている。
【０００３】
このようなメッセンジャーバッグのうち、蓋部（フラップ）が面ファスナによって固定されて、他の色やデザインの蓋部と交換可能となっているものがあり、特に人気が高い（特許文献１）。
【０００４】
しかしながら、面ファスナによる固定は当然のことながら完全なものではなく、しかも、鞄部自体は本人の目の届かない背中に位置するために、蓋部が紛失しやすい。また、特にデザイン性に優れた蓋部の場合、簡単に盗まれるおそれさえもある。
【先行技術文献】
【特許文献】
【０００５】
【特許文献１】実用新案登録第３１４６６３６号
【考案の概要】
【考案が解決しようとする課題】
【０００６】
本考案は、上記問題を解決する、すなわち、蓋部の鞄本体部への固定が確実となっていて、蓋部の紛失や容易な盗難が防止された鞄を提供することを目的とするものである。
【課題を解決するための手段】
【０００７】
本考案の鞄は、上記課題を解決するために、請求項１に記載の通り、蓋部が鞄本体部から着脱可能な鞄において、前記蓋部と前記鞄本体部とのそれぞれにチェーン部が設けられ、これらチェーンとスライダとによって構成されるオープンスライドファスナによって着脱可能となっていることを特徴とする鞄である。
【０００８】
また、本考案の鞄は、請求項２に記載の通り、請求項１に記載の鞄において、前記スライダの移動をロックするロック機構を有するとともに、前記引手による操作時に前記ロック機構によるロックを解除するロック解除機構を有し、かつ、前記引手がスライダから着脱可能となっていることを特徴とする。
【考案の効果】
【０００９】
本考案の鞄によれば、蓋部の紛失や盗難を確実に防止することができる。
【００１０】
また、請求項２に記載の本考案の鞄によれば、蓋部の紛失や盗難をより確実に防止することができる。
【図面の簡単な説明】
【００１１】
【図１】本発明にかかる鞄の例Ａを示すモデル図である。
【図２】鞄Ａの蓋部２を開いた状態を示すモデル図である。図２（ａ）蓋部２の外側を示す図である。図２（ｂ）蓋部２の内側を示す図である。
【図３】鞄Ａの蓋部２を脱着した状態を示すモデル図である。
【図４】オープンスライドファスナの使い方を示すモデル図である。図４（ａ）蝶棒２ｂがスライダ４及び箱４ｂから抜かれた状態を示すモデル図である。図４（ｂ）蝶棒２ｂがスライダ４及び箱４ｂに挿入された状態を示すモデル図である。
【図５】スライダの移動をロックするロック機構と、引手による操作時に前記ロック機構によるロックを解除するロック解除機構とを説明するためのモデル断面図である。
【図６】着脱可能な引手について説明するモデル図である。図６（ａ）装着状態を示す図である。図６（ｂ）着脱状態を示す図である。
【考案を実施するための形態】
【００１２】
本考案の鞄を、図面を用いて説明する。
【００１３】
図1は本考案に係る鞄Ａを示すモデル図である。鞄Ａはショルダーバッグで、いわゆるメッセンジャーバッグである。図中、符号１は鞄本体部を示し、鞄本体部１には、蓋部２及び紐部３が付属している。ここで、図示はしないが、蓋部２には模様、柄、図等が描かれてる。
【００１４】
図２は蓋部２を開けた状態を示す図であり、図２（ａ）は鞄Ａの蓋部２の外側を、図２（ｂ）は鞄Ａの蓋部２の内側を示す図である。
【００１５】
蓋部２の内側の端部に沿って面ファスナ２ｄ（この例では雄面ファスナ）が設けられ、鞄本体部１の蓋２側面には、蓋部２を閉めたときに面ファスナ２ｄに直交するように２つの面ファスナ１ｂ（この例では雌面ファスナ）が設けられていて、鞄本体部１の内容物の厚さによらず、これら面ファスナによる蓋部２の鞄本体部１への固定が可能となっている。
【００１６】
鞄本体部１と蓋部２との境界付近にはオープンスライドファスナ式の着脱機構部αが設けられており、符号４はスライダ、符号４ａはスライダ４の引手を、それぞれ示す。
【００１７】
図３は、着脱機構部αにより、蓋部２が鞄本体部１から脱着された状態を示すモデル図（鞄Ａの外側を示す）である。蓋部２の鞄本体部１側端と鞄本体部１の蓋部２側端とにはそれぞれチェーン（スライドファスナの嵌合部）１ａ及び２ａが設けられている。符号２ｂは、チェーン２ａ端に設けられた蝶棒を示し、蝶棒２ｂは蓋部２と鞄本体部１との接続時にスライダ４と後述する箱４ｂに差し込まれる。
【００１８】
次に、蓋部２と鞄本体部１との接続時の手順について図４を用いて説明する。図４（ａ）に示されるように前述の蝶棒２ｂはチェーン２ａの一端に設けられている。この蝶棒２ｂを図４（ｂ）に示すように図中下端までスライドさせたスライダ４及び箱４ｂに差し込む。次いで引手４ａによってスライダ４を図中上方に引き上げて、図示しないチェーンの他端までスライドさせれば、蓋部２と鞄本体部１とは接続され、容易に脱着することはない。また、蓋部２を、同じように２ａと蝶棒２ｂとを有する他の蓋部（柄違い、色違い、あるいは、素材が異なる）と交換することができる。
【００１９】
さらに、この例で用いるスライダ４にはその移動をロックするロック機構が設けられているとともに、引手４ａによる操作時にこのロック機構によるロックを解除するロック解除機構が設けられている。このようなロック機構及びロック解除機構を有するスライダは特開平７−１７７９０６号公報などで知られている。
【００２０】
これらの機構について、図５を用いて説明する。図５はスライダ４の縦断面図である。
【００２１】
符号４ｃはスライダ胴体、４ｄは引手取付部、４ｅはロック片を示している。図からも理解できるように、引手４ａを操作すると、引手４ａの先端４ａ１がバネ材からなるロック片４ｅを弾性変形させる。この結果、ロック片４ｅの係止部４ｅ１は噛合しているチェーン（図示しない）間から抜け出して、スライダ４のロックが解除されてファスナの開閉方向に移動可能となる。また、引手４ａから指を離すと、ロック片４ｅが図示した形状に戻り、その係止部４ｅ１が噛合しているチェーン間に嵌合して再びロック状態となる。
【００２２】
このように引手４ａ及びロック片４ｅは、スライダ４にはその移動をロックするロック機構と引手４ａによる操作時にロック機構によるロックを解除するロック解除機構とを構成している。
【００２３】
さらに、この例では引手４ａは、スライダ４から着脱可能となっている。
【００２４】
すなわち、図６（ａ）に、スライダ４に引手４ａが装着されている状態をモデル的に示す。
【００２５】
引手４ａの先端４ａ１は、スライダ胴体４ｃに設けられた引手取付部４ｄに挿入されて係合している。この係合は、引手４ａにスライド可能に設けられた引手スライド部４ａ２の先端４ａ１側の抜け防止片４ａ３によって、解除されないようになっている。ここで引手４ａの引手スライド部４ａ２を図中矢印方向にスライドさせると、上記係合は解除可能となり、引手４ａの先端４ａ１は引手取付部４ｄから抜けるようになる。このように引手４ａの先端４ａ１を引手取付部４ｄから抜いた状態を図６（ｂ）に示す。
【００２６】
ここで引手４ａを、スライダ４から脱着させれば、スライダ４のロック機構によるスライダ４のロックにより、スライダ４をスライド操作することはできなくなり、その結果、蓋部２の鞄本体部１からの分離が完全に防止される。
【００２７】
なお、この例では紐部３は固定式としたが、一般的な鞄紐用ジョイントなどによって、着脱可能、あるいは、色、デザイン、長さなどが異なる他の紐部と交換可能とすることができる。
【符号の説明】
【００２８】
１    鞄本体部
１ａ  チェーン
１ｂ  面ファスナ
２    蓋部
２ａ  チェーン
２ｂ  蝶棒
２ｄ  面ファスナ
３    紐部
４    スライダ
４ａ  引手
４ａ１  先端
４ａ２  引手スライド部
４ａ３  抜け防止片
４ｂ  箱
４ｃ  スライダ胴体
４ｄ  引手取付部
４ｅ  ロック片
４ｅ１  係止部
【図１】
0003153709.tif 000003
【図２】
0003153709.tif 000004
【図３】
0003153709.tif 000005
【図４】
0003153709.tif 000006
【図５】
0003153709.tif 000007
【図６】
0003153709.tif 000008